(57)【要約】【課題】メディアに対する加工処理として印刷処理を行う印刷装置やメディアに対する加工処理としてカッティング処理を行うカッティング装置などのメディア加工処理装置に対し、メディアが帯びた静電気や湿気を除去するとともにメディア表面に付着した埃を除去した後に当該メディアを供給する。【解決手段】搬送されたメディアに対して加工処理を行うメディア加工処理装置に対して、メディアの搬送方向の上流側に配置されるメディア表面処理装置であって、メディアを温めるヒーターと、ヒーターと対向して配置されたローラーと、ヒーターと対向して配置された除電ブラシと、ヒーターに対して搬送方向の下流側に配置された送風ファンとを有する。【選択図】        図２
2020152505.tif 000002
【特許請求の範囲】
【請求項１】
搬送されたメディアに対して加工処理を行うメディア加工処理装置に対して、前記メディアの搬送方向の上流側に配置されるメディア表面処理装置であって、
前記メディアを温めるヒーターと、
前記ヒーターと対向して配置されたローラーと、
前記ヒーターと対向して配置された除電ブラシと、
前記ヒーターに対して前記搬送方向の下流側に配置された送風ファンと
を有することを特徴とするメディア表面処理装置。
【請求項２】
請求項１に記載のメディア表面処理装置において、
前記除電ブラシは、前記ローラーに対して前記搬送方向の下流側に配置された
ことを特徴とするメディア表面処理装置。
【請求項３】
請求項１または２のいずれか１項に記載のメディア表面処理装置において、
前記ローラーと前記除電ブラシとは、前記ヒーターから離れる方向に移動可能である
ことを特徴とするメディア表面処理装置。
【請求項４】
請求項１、２または３のいずれか１項に記載のメディア表面処理装置において、
前記メディア加工処理装置は、前記メディアに対する加工処理として印刷処理を行う印刷装置または前記メディアに対する加工処理としてカッティング処理を行うカッティング装置または前記メディアに対する加工処理として印刷処理およびカッティング処理を行う装置である
ことを特徴とするメディア表面処理装置。
【発明の詳細な説明】
【技術分野】
【０００１】
本発明は、メディア表面処理装置に関する。さらに詳細には、本発明は、インクジェットプリンタなどの印刷装置における印刷対象物であるメディアやカッティング装置におけるカッティング対象物であるメディアなどの表面処理を行うメディア表面処理装置に関する。
【０００２】
なお、本明細書および本特許請求の範囲において、「メディア」には、普通紙などの紙類よりなる各種の記録媒体は勿論のこと、ポリ塩化ビニル（ＰＶＣ：ｐｏｌｙｖｉｎｙｌ  ｃｈｌｏｒｉｄｅ）やポリエチレンテレフタラート（ＰＥＴ：ｐｏｌｙｅｔｈｙｌｅｎｅ  ｔｅｒｅｐｈｔｈａｌａｔｅ）などの樹脂材料などのような各種材料などからなる種々の媒体が含まれるものとする。
【背景技術】
【０００３】
従来より、メディアの表面に対して所望の印刷を行う印刷装置として、例えば、特許文献１として提示する特開２０１６−８７８５８号公報に開示されているように、メディアに向けてインクジェット方式によりインクを吐出するインクジェットノズルを有するインクヘッドを備えたインクジェットプリンタが知られている。
【０００４】
また、メディアを所望の形状にカッティングするカッティング装置としては、従来より、カット（切断）する線（カット線）を示すカッティングデータに従って、先端部にカット刃を形成したカッターを移動することにより、メディアをカット線に応じた形状にカッティング（切断）するカッティング装置が知られている。
【０００５】
また、こうしたカッティング装置としては、例えば、特許文献２として提示する特開２００１−２６０４４３号公報などに開示されているように、メディアの表面に印刷する機能を備えたカッティング装置も知られている。
【０００６】
ところで、上記したような印刷装置によりメディアの表面に印刷したり、あるいは、カッティング装置によりメディアをカッティングする際に、メディアが静電気や湿気を帯びていたり、メディア表面に埃が付着していたりすると、印刷装置によるメディア表面への印刷結果やカッティング装置によるメディアのカッティング結果に悪影響を与える要因となるという問題点があった。
【先行技術文献】
【特許文献】
【０００７】
【特許文献１】特開２０１６−８７８５８号公報
【特許文献２】特開２００１−２６０４４３号公報
【発明の概要】
【発明が解決しようとする課題】
【０００８】
本発明は、従来の技術が有する上記したような問題点に鑑みてなされたものであり、その目的とするところは、メディアに対する加工処理として印刷処理を行う印刷装置やメディアに対する加工処理としてカッティング処理を行うカッティング装置などのメディア加工処理装置に対し、メディアが帯びた静電気や湿気を除去するとともにメディア表面に付着した埃を除去した後に、当該メディアを供給可能なメディア表面処理装置を提供しようとするものである。
【課題を解決するための手段】
【０００９】
上記目的を達成するために、本発明は、搬送されたメディアに対して加工処理を行うメディア加工処理装置に対して、メディアの搬送方向における上流側において、ヒーターの加熱によりメディアが帯びた湿気を除去し、ローラーをメディアに当接して回転することによりメディア表面に付着した埃を除去し、除電ブラシによりメディアが帯びた静電気を除去するようにしたものである。
【００１０】
従って、本発明によれば、メディアが静電気や湿気を帯びていたりメディア表面に埃が付着していたりしていても、それらが除去されたメディアがメディア加工処理装置に搬送されるので、メディア加工処理装置におけるメディアの加工処理の際に、加工処理結果に静電気、湿気あるいは埃に起因する悪影響を与えることはない。
【００１１】
即ち、本発明は、搬送されたメディアに対して加工処理を行うメディア加工処理装置に対して、上記メディアの搬送方向の上流側に配置されるメディア表面処理装置であって、上記メディアを温めるヒーターと、上記ヒーターと対向して配置されたローラーと、上記ヒーターと対向して配置された除電ブラシと、上記ヒーターに対して上記搬送方向の下流側に配置された送風ファンとを有するようにしたものである。
【００１２】
また、本発明は、上記した本発明において、上記除電ブラシは、上記ローラーに対して上記搬送方向の下流側に配置されるようにしたものである。
【００１３】
また、本発明は、上記した本発明において、上記ローラーと上記除電ブラシとは、上記ヒーターから離れる方向に移動可能であるようにしたものである。
【００１４】
また、本発明は、上記した本発明において、上記メディア加工処理装置は、上記メディアに対する加工処理として印刷処理を行う印刷装置または上記メディアに対する加工処理としてカッティング処理を行うカッティング装置または上記メディアに対する加工処理として印刷処理およびカッティング処理を行う装置であるようにしたものである。
【発明の効果】
【００１５】
本発明は、以上説明したように構成されているので、メディアに対する加工処理として印刷処理を行う印刷装置やメディアに対する加工処理としてカッティング処理を行うカッティング装置などのメディア加工処理装置に対し、メディアが帯びた静電気や湿気を除去するとともにメディア表面に付着した埃を除去した後に、当該メディアを供給することができるようになるという優れた効果を奏するものである。
【図面の簡単な説明】
【００１６】
【図１】図１は、本発明の実施の形態の一例によるメディア表面処理装置を備えた印刷装置を模式的に示す側面概略構成説明図である。
【図２】図２（ａ）は、本発明の実施の形態の一例によるメディア表面処理装置における筐体内の構成を模式的に示す側面概略構成説明図である。図２（ｂ）は、メディア表面処理装置のヒーターに関する図２（ａ）のＢ矢視説明図である。
【図３】図３（ａ）（ｂ）は、メディア表面処理装置における動作の一例を示す図２（ａ）に相当する説明図である。
【発明を実施するための形態】
【００１７】
以下、添付の図面を参照しながら、本発明によるメディア表面処理装置の実施の形態の一例について詳細に説明するものとする。
【００１８】
なお、以下の説明においては、搬送されたメディアに対して加工処理を行うメディア加工処理装置の一例としての印刷装置に対して、本発明によるメディア表面処理装置を配置した場合について説明する。
【００１９】
ここで、図１には、本発明の実施の形態の一例によるメディア表面処理装置を備えた印刷装置を模式的に示す側面概略構成説明図があらわされている。
【００２０】
また、図２（ａ）には、本発明の実施の形態の一例によるメディア表面処理装置における筐体内の構成を模式的に示す側面概略構成説明図があらわされており、図２（ｂ）には、メディア表面処理装置のヒーターに関する図２（ａ）のＢ矢視説明図があらわされている。
【００２１】
さらに、図３（ａ）（ｂ）には、メディア表面処理装置における動作の一例を示す図２（ａ）に相当する説明図があらわされている。
【００２２】
印刷装置１０は、筐体１２の内部にメディア１４に対して印刷処理する印刷ヘッドなどを備えた印刷ユニット１６を配設している。
【００２３】
メディア１４は長尺のメディアがロール状に巻回されて形成されており、印刷装置１０の後方側に配置されてメディア１４を送り出すメディア送り支持装置１８と、印刷装置１０の前方側に配置されてメディア１４を巻き取るメディア巻き取り支持装置２０とにより支持されている。メディア１４は、メディア送り支持装置１８から搬送方向へ送り出されて、メディア巻き取り支持装置２０に巻き取られる。
【００２４】
メディア表面処理装置３０は、印刷ヘッド１６に対してメディア１４の搬送方向の上流側、即ち、印刷装置１０の後方側に配置されている。
【００２５】
メディア表面処理装置３０は、筐体３２内に、メディア１４が載置されるヒーター３４と、ヒーター３４と対向して配置されたローラー３６および除電ブラシ３８と、ヒーター３４に対してメディア１４の搬送方向の下流側に配置された除熱用の送風ファン４０とを有して構成されている。なお、除電ブラシ３８は、ローラー３６に対してメディア１４の搬送方向の下流側に配置されている。
【００２６】
符号３４ａで示す領域は、ヒーター３４の加熱領域であり、メディア１４は加熱領域３４ａを通過することより、予め設定された温度（例えば、５０℃〜６０℃である。）まで昇温される。ローラー３６は、加熱領域３４ａと対向する位置に配置される。
【００２７】
上記のように予め設定された温度まで昇温されたメディア１４は、加熱領域３４ａを通過すると、送風ファン４０の送風により予め設定された温度（例えば、３５℃前後である。）まで降温される。メディア１４を予め設定された温度まで降温することにより、メディア１４を印刷に適した安定した状態とすることができる。
【００２８】
ここで、ローラー３６は、例えば、従来よりスポンジロールにより構成する。メディア１４の素材がポリ塩化ビニルなどの場合には、上記したようにヒーター３４でメディア１４を昇温することにより、ローラー３６によりメディア１４の表面の埃が除去しやすくなる。
【００２９】
また、除電ブラシ３８ならびに送風ファン４０としては、従来より公知の除電ブラシや送風ファンを用いることができる。
【００３０】
ローラー３６および除電ブラシ３８は、ヒーター３４から離れる方向（図３（ｂ）における矢印Ａ方向）に移動可能な移動機構（図示せず。）を備えている。
【００３１】
メディア１４が搬送方向の上流側から下流側へ搬送されるときにおいては、ヒーター３４と対向して配置されたローラー３６および除電ブラシ３８は、図３（ａ）に示すように、メディア１４が搬送方向の上流側から下流側へ搬送可能な押圧力でメディア１４と当接する位置関係で配置されている。
【００３２】
一方、メディア１４を搬送方向の下流側から上流側へ引き戻すときにおいては、図３（ｂ）に示すように、上記した移動機構によりローラー３６および除電ブラシ３８をヒーター３４から離れる方向（図３（ｂ）における矢印Ａ方向）に移動して、ローラー３６および除電ブラシ３８がメディア１４と当接することがないようにしている。これにより、ローラー３６および除電ブラシ３８が、メディア１４の引き戻し方向への移動の妨げになることはない。
【００３３】
以上の構成において、印刷装置１０の印刷ユニット１６によりメディア１４に対して印刷する際には、メディア送り支持装置１８とメディア巻き取り支持装置２０との間でメディア１４を搬送方向へ搬送する。
【００３４】
このとき、メディア１４は、印刷ユニット１６に到達する前に、印刷ユニット１６に対してメディア１４の搬送方向の上流側に位置するメディア表面処理装置３０を通過する。
【００３５】
メディア表面処理装置３０を通過するメディア１４は、ヒーター３４上に載置されて移動する。その際に、ヒーター３４と対向して配置されたローラー３６および除電ブラシ３８は、図３（ａ）に位置関係とされる。
【００３６】
従って、メディア１４がメディア表面処理装置３０を通過することにより、ヒーター３４の加熱領域３４ａにおける加熱によりメディア１４の温度が上げられて湿気が除去され、かつ、ローラー３６の回転によりメディア１４の表面に付着した埃が除去され、除電ブラシ３８によりメディア１４が帯びた静電気が除去される。
【００３７】
ここで、除電ブラシ３８は、ローラー３６に対してメディア１４の搬送方向の下流側に配置されている。このため、除電ブラシ３８は、ローラー３６により埃を除去されたメディア１４の表面と当接することになるので、除電ブラシ３８が埃により汚れることを防止することができる。
【００３８】
そして、ヒーター３４の加熱領域３４ａを通過したメディア１４は、送風ファン４０による送風により、ヒーター３４により加熱された温度が下げられた後に、印刷ユニット１６に搬送されて供給される。
【００３９】
このため、印刷装置１０の印刷ユニット１６は、静電気、湿気および埃の存在しないメディア１４に対して印刷処理することができるので、良好な印刷結果を得ることができるようになる。
【００４０】
なお、ヒーター３４の加熱領域３４ａにおける加熱によりメディア１４の温度が上げられ、その後に送付ファン４０によりメディア１４の温度が下げられるので、メディア１４に微少な皺がよっていたような場合には皺の状態を改善することができる。
【００４１】
また、印刷装置１０がメディア１４をカッティングするカッターを備えたカッティングユニットを搭載しているような場合には、印刷ユニット１６により印刷されたメディア１４を引き戻して、カッティングユニットによりメディア１４をカッティングする場合がある。
【００４２】
この場合には、ヒーター３４と対向して配置されたローラー３６および除電ブラシ３８を、移動機構によりヒーター３４から離れる方向（図３（ｂ）における矢印Ａ方向）に移動して図３（ｂ）に示す位置関係とする。これにより、ローラー３６および除電ブラシ３８が、メディア１４の引き戻し方向への移動の妨げとはならない。
【００４３】
上記したように、メディア表面処理装置３０によれば、メディア１４が静電気や湿気を帯びていたりメディア１４の表面に埃が付着していたりしていても、それらが除去されたメディア１４が印刷装置１０などのメディア加工処理装置に搬送されるので、メディア加工処理装置におけるメディア１４の加工処理の際に、加工処理結果に静電気、湿気あるいは埃に起因する悪影響を与えることはない。
【００４４】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更などを行うようにしてもよいことは勿論である。
【００４５】
例えば、上記した実施の形態は、以下の（１）乃至（６）に示すように変形するようにしてもよい。
【００４６】
（１）上記した実施の形態においては、搬送されたメディアに対して加工処理を行うメディア加工処理装置の一例としての印刷装置１０に対して、本発明によるメディア表面処理装置３０を配置した場合について説明したが、メディア加工処理装置は印刷装置に限られるものではないことは勿論である。本発明によるメディア表面処理装置を配置可能なメディア加工処理装置は、例えば、カッティング装置でもよいし、あるいは、メディアに対する加工処理として印刷処理およびカッティング処理の双方を行う装置でもよい。
【００４７】
（２）上記した実施の形態においては、ローラー３６としてスポンジロールを例示したが、ローラー３６はスポンジロールに限られるものではないことは勿論である。ローラー３６としては、例えば、軸心にブラシ毛を植毛したブラシロールを用いてもよい。
【００４８】
（３）上記した実施の形態においては、メディア１４を昇温する温度として５０℃〜６０℃を例示し、また、メディア１４を降温する温度として３５℃前後を例示したが、メディア１４を昇温したり降温したりする際の温度は、これらに限られるものではないことは勿論である。メディア１４を昇温したり降温したりする際の温度は、メディア表面処理装置３０の設計条件やメディア１４の材料などに応じて適宜に設定してよい。
【００４９】
（４）上記した実施の形態においては、メディア表面処理装置３０は筐体３２を備えるようにしたが、これに限られるものではないことは勿論である。本発明によるメディア表面処理装置は、筐体を備えることなく、各構成部材（ヒーター３４、ローラー３６、除電ブラシ３８および送風ファン４０）を配置するようにしてもよい。
【００５０】
（５）上記した実施の形態においては、詳細な説明を省略したが、メディア１４はヒーター３４の上に直接載置されてもよいし、あるいは、ヒーター３４によって温められるガイド板の上に載置されてもよい。
【００５１】
（６）上記した各実施の形態ならびに上記した（１）乃至（５）に示す各実施の形態は、適宜に組み合わせるようにしてもよいことは勿論である。
【産業上の利用可能性】
【００５２】
本発明は、メディアに対する加工処理として印刷処理を行う印刷装置やメディアに対する加工処理としてカッティング処理を行うカッティング装置などのメディア加工処理装置に対して、メディアを搬送して供給する際に用いて好適である。
【符号の説明】
【００５３】
１０    印刷装置
１２    筐体
１４    メディア
１６    印刷ユニット
１８    メディア送り支持装置
２０    メディア巻き取り支持装置
３０    メディア表面処理装置
３２    筐体
３４    ヒーター
３４ａ  加熱領域
３６    ローラー
３８    除電ブラシ
４０    送風ファン
【図１】
2020152505.tif 000003
【図２】
2020152505.tif 000004
【図３】
2020152505.tif 000005